(57)【要約】      （修正有）【課題】形鋼等のブロックに溶接する必要がなく、ガス切り、グラインダー仕上げ等の手間を一切必要としない有用な目違い修正用治具を提供する。【解決手段】対向する一方の形鋼フランジＢ１に支持される取付基部１と、他方の形鋼フランジＢ２を変位自在に移動せしめる変位可動部２とを備える。取付基部１は、一方の形鋼フランジＢ１に対し垂直に支持される鈎状の垂直固定部１ａと、該垂直固定部１ａの下位に連設されて形鋼フランジＢ１と平行に配設される水平基部１ｂと、該水平基部１ｂに螺合されて同形鋼フランジＢ１の下面に当接される間隔調整部１ｃとを備える。変位可動部２は、小型のジャッキからなり、他方の形鋼フランジＢ２の下面にまで延出した前記水平基部１ｂ上に支持されて形鋼フランジＢ２を上下動自在に移動せしめる。【選択図】図４
0003125686.tif 000002
【実用新案登録請求の範囲】
【請求項１】
相対して配置される形鋼、柱、梁等のフランジ（以下、単に形鋼フランジという）の突合部に生じる目違いを修正するための目違い修正用治具において、
対向する一方の形鋼フランジに支持される取付基部と、該取付基部に設けられて他方の形鋼フランジを変位自在に移動せしめる変位可動部とを備えてなることを特徴とする目違い修正用治具。
【請求項２】
前記取付基部は、一方の形鋼フランジに対し垂直に支持される垂直固定部と、該垂直固定部に連設されて同形鋼フランジと平行に配設される水平基部と、該水平基部に昇降自在に取り付けされて同形鋼フランジの下面に当接される間隔調整部とを備えてなることを特徴とする請求項１に記載の目違い修正用治具。
【請求項３】
前記変位可動部は、他方の形鋼フランジの下面にまで延出した前記水平基部に支持されて同形鋼フランジの遊端側を上下動自在に移動せしめるジャッキであることを特徴とする請求項１に記載の目違い修正用治具。
【考案の詳細な説明】
【技術分野】
【０００１】
本考案は、主として鉄骨構造又は鉄筋コンクリート構造において使用される形鋼、柱、梁等の突合部における目違いを簡単かつ円滑に修正することができる目違い修正用治具に関する。
【背景技術】
【０００２】
一般的に、鋼構造物はブロックで製造され、該ブロック相互を溶接して大型構造物に完成させることが多いが、補強材である形鋼相互の溶接に際しては、形鋼相互の芯が一致していない状態、所謂、目違いが発生していることが多い。これは、鋼板の熱歪みによる変形或いは形鋼と鋼板との熱歪みによる変形又は取り付け誤差など、原因は各種複合的に作用し合って目違いが発生している。
【０００３】
従来、斯かる目違いを修正する治具としては、例えば、鋼板に溶接により接合された形鋼が、フランジとウェブとで構成されており、目違いが生じている場合は、一方のフランジにＬ型ピースを溶接し、他方の形鋼から楔（金矢）をハンマーで打ち込むことで、目違いを修正している（特許文献１参照）。
【特許文献１】特開２００１−３５５３４０６号公報
【考案の開示】
【考案が解決しようとする課題】
【０００４】
しかしながら、従来の目違い修正用治具にあっては、Ｌ型ピースを溶接でフランジに取り付けるため、溶接の手間が発生し、また、形鋼が溶接された後、Ｌ型ピースのガス切り、グラインダー仕上げに手間が発生してしまうと共に、ガス切りに伴う煙、火炎の発生が危惧されており、延いては、Ｌ型ピースの除去後に鋼板に傷が発生することもあり、傷の手直しに時間を要する。
【０００５】
本考案は、このような従来の問題点に鑑みてなされたもので、形鋼等のブロックに溶接する必要がなく、ガス切り、グラインダー仕上げ等の手間を一切必要としない有用な目違い修正用治具を提供することを目的としたものである。
【課題を解決するための手段】
【０００６】
上述の如き従来の問題点を解決し、所期の目的を達成するため本考案の要旨とする構成は、相対して配置される形鋼フランジの突合部に生じる目違いを修正するための目違い修正用治具において、対向する一方の形鋼フランジに支持される取付基部と、該取付基部に設けられて他方の形鋼フランジを変位自在に移動せしめる変位可動部とを備えてなる目違い修正用治具に存する。
【０００７】
また、前記取付基部は、一方の形鋼フランジに対し垂直に支持される垂直固定部と、該垂直固定部に連設されて同形鋼フランジと平行に配設される水平基部と、該水平基部に昇降自在に取り付けされて同形鋼フランジの下面に当接される間隔調整部とを備えて、同形鋼フランジに不動状態に支持せしめるのが良い。
【０００８】
更に、前記変位可動部は、他方の形鋼フランジの下面にまで延出した前記水平基部に支持されて同形鋼フランジの遊端側を上下動自在に移動せしめるジャッキであるのが良い。
【考案の効果】
【０００９】
相対して配置される一方の形鋼フランジに支持される取付基部と、該取付基部に設けられて他方の形鋼フランジを変位自在に移動せしめる変位可動部とを備えたことによって、対向する一方の形鋼フランジに取付基部を設置し、他方の形鋼フランジを前記変位可動部で移動させるだけの簡単操作で、迅速に目違いを修正することができるといった効果を奏する。
【００１０】
また、前記取付基部は、一方の形鋼フランジに対し垂直に支持される垂直固定部と、該垂直固定部に連設されて同形鋼フランジと平行に配設される水平基部と、該水平基部に昇降自在に取り付けされて同形鋼フランジの下面に当接される間隔調整部とを備えたことによって、同形鋼フランジに不動状態に支持できるため、従来の如きＬ型ピースを溶接する手間が省けるといった効果を奏する。
【００１１】
更に、前記変位可動部は、他方の形鋼フランジの下面にまで延出した前記水平基部に支持されて同形鋼フランジの遊端側を上下動自在に移動せしめるジャッキであることによって、ジャッキの力を利用して簡単かつ円滑に目違いを修正できるといった効果を奏する。
【考案を実施するための最良の形態】
【００１２】
対向する一方の形鋼フランジに支持される取付基部と、該取付基部に設けられて他方の形鋼フランジを変位自在に移動せしめる変位可動部とを備えると共に、前記取付基部は、一方の形鋼フランジに対し垂直に支持される垂直固定部と、該垂直固定部に連設されて同形鋼フランジと平行に配設される水平基部と、該水平基部に昇降自在に取り付けされて同形鋼フランジの下面に当接される間隔調整部とを備えて、同形鋼フランジに不動状態に支持せしめると共に、前記変位可動部として、他方の形鋼フランジの下面にまで延出した前記水平基部に支持されて同フランジの遊端側を上下動自在に移動せしめるジャッキを使用する。
【実施例】
【００１３】
次に、本考案に係る目違い修正用治具の実施の一例を図面を参照しながら説明する。図中Ａは、本考案に係る目違い修正用治具であり、この修正用治具Ａは、図１に示すように、対向する一方の形鋼フランジＢ１  に支持される取付基部１と、他方の形鋼フランジＢ２  を変位自在に移動せしめる変位可動部２とを備えている。
【００１４】
前記取付基部１は、一方の形鋼フランジＢ１  に対し垂直に支持される鈎状の垂直固定部１ａと、該垂直固定部１ａの下位に連設されて形鋼フランジＢ１  と平行に配設される水平基部１ｂと、該水平基部１ｂに螺合されて同形鋼フランジＢ１の下面に当接される間隔調整部１ｃとを備えている。
【００１５】
垂直固定部１ａの上部は、形鋼フランジＢ１  に掛け載せ易いように鈎状を呈しており、その頂面には持ち運びに便利なように握手１ｄが突設されている。
【００１６】
水平基部１ｂは、形鋼フランジＢ１  ，Ｂ２  の突合部下に跨るように配置されるものであり、形鋼フランジＢ１  下に位置する長手方向の一端側に間隔調整部(高さ調整螺旋部)１ｃを支持し、形鋼フランジＢ２  下に位置する長手方向の他端側に変位可動部２を支持するための取付枠１ｅが付設されている。
【００１７】
間隔調整部１ｃは、例えば、ボルト螺旋からなり、水平基部１ｂに当接するナット１ｃ１  を回動させることにより上端側が昇降自在になるもので、同間隔調整部１ｃと垂直固定部１ａとの間に形鋼フランジＢ１  を狭持することができる。
【００１８】
一方、前記変位可動部２は、例えば、小型のジャッキ（スクリュージャッキ、油圧ジャッキ等）からなり、他方の形鋼フランジＢ２  の下面にまで延出した前記水平基部１ｂ上に支持されて形鋼フランジＢ２  を上下動自在に移動せしめるものである。
【００１９】
このように構成される本実施例の目違い修正用治具Ａは、形鋼フランジＢ１  の上面に垂直固定部１ａを掛けて下面から間隔調整部１ｃを締め付けるだけで、簡単に前記水平基部１ｂを形鋼フランジＢ１  に対し水平に位置決めできるため、従来の如き溶接等の手間が省け、また、変位可動部２が油圧ジャッキであることも相俟って、小さな力でも形鋼フランジＢ２  の目違いを簡単に修正することができる。
【００２０】
換言すれば、第４図に示すように、一方の形鋼フランジＢ１  の上面に鈎状の垂直固定部(基体)１ａを掛け載せた状態で、同形鋼フランジＢ１  の下面に位置する間隔調整部（高さ調整螺旋部）１ｃを回動させることで、同間隔調整部１ｃと前記垂直固定部１ａとの間に同形鋼フランジＢ１  を狭持せしめて固定し、次いで、他方の形鋼フランジＢ２  の下に別体の油圧ジャッキ(変位可動部２)を介して同形鋼フランジＢ２  を上げてゆくことで、両形鋼フランジＢ１  、Ｂ２  の突合部における目違いを簡単に修正することができるのである。
【００２１】
このように本考案の目違い修正用治具では、小さな力でより簡単に目違いを修正できるものであり、また、従来に比して作業条件が大幅に改善されると共に、従来の如くバーナーで切断する手間が省ける分、煙、火炎が発生してしまうなどの心配もなく、しかも、従来の切断法で問題となっていた柱の表面に切断したプレートの切断跡（凸部）が残存してしまうこと、その分、サンダー等の仕上げ工事に時間を要すること、また、長時間に亘り騒音公害を来してしまうことなどを全て解消でき、更には、一日の仕事量が増やせるため、より工期の短縮化が可能になるものである。
【００２２】
尚、本考案の目違い修正用治具は、本実施例に限定されることなく、本考案の目的の範囲内で自由に設計変更できるものであり、本考案はそれらの全てを包摂するものである。例えば、本実施例では、変位可動部２として油圧ジャッキを使用しているが、これに限定されることなく、図５に示すように、間隔調整部１ｃと同様、ボルト螺旋で対応できることは云うまでもない。
【００２３】
因に、本明細書で言及している「形鋼フランジ」とは、Ｈ形鋼、Ｉ形鋼等の形鋼のみに限定されることなく、柱、梁、軌条、その他、対向して使用される一切の部材を総称するものである。
【図面の簡単な説明】
【００２４】
【図１】本考案に係る目違い修正用治具の第１実施例を示す正面図である。
【図２】同目違い修正用治具の平面図である。
【図３】同目違い修正用治具の側面図である。
【図４】同目違い修正用治具の使用状態説明図である。
【図５】同目違い修正用治具の第２実施例を示す使用状態説明図である。
【符号の説明】
【００２５】
Ａ  目違い修正用治具
Ｂ１  一方の形鋼フランジ
Ｂ２  他方の形鋼フランジ
１  取付固定部
１ａ  垂直固定部
１ｂ  水平基部
１ｃ  間隔調整部
１ｄ  握手
１ｅ  取付枠
２  変位可動部
【図１】
0003125686.tif 000003
【図２】
0003125686.tif 000004
【図３】
0003125686.tif 000005
【図４】
0003125686.tif 000006
【図５】
0003125686.tif 000007